(57)【特許請求の範囲】
【請求項１】
複数の電気機器の設定変更を行う使用条件設定手段と、前記複数の電気機器の使用条件データを記憶させる情報記憶装置を電気的に接続可能なコネクタを用いた情報記憶装置接続部を備え、前記情報記憶装置には、前記電気機器と電気的に接続可能なコネクタを用いた機器接続部と、前記情報記憶装置に記憶された使用条件データのうち使用者が選択、操作した内容と、前記電気機器との通信中である旨を表示可能な表示手段と、前記電気機器の使用条件を選択する選択手段と、前記複数の電気機器から運転したい電気機器を選択する機器選択手段を設けた複数の電気機器の使用条件を記憶する情報記憶装置。
【請求項２】
電気機器を使用する際に前記電気機器に取り付け、使用条件を電気機器へ送信することを特徴とする請求項１記載の情報記憶装置。
【請求項３】
使用条件を電気機器へ送信した後、前記使用条件に基づいて運転を開始する信号を送信することを特徴とする請求項１あるいは２記載の情報記憶装置。
【請求項４】
使用者が複数の使用条件から選択する選択手段を備えたことを特徴とする請求項１〜３何れかに記載の情報記憶装置。
【請求項５】
複数の電気機器への使用条件の送信の可否を選択可能とした複数選択手段を備えたことを特徴とする請求項１〜４何れかに記載の情報記憶装置。
【請求項６】
複数の電気機器の使用条件は、相異なる時間に送信することを特徴とする請求項１〜５何れかに記載の情報記憶装置。
【請求項７】
電気機器の使用条件の受信は、前記電気機器に取り付けた時に行なうことを特徴とする請求項１〜６何れかに記載の情報記憶装置。
【請求項８】
電気機器の使用条件の受信中、あるいは前記電気機器への使用条件の送受信中は、取り外さないように注意する表示手段を備えたことを特徴とする請求項１〜７何れかに記載の情報記憶装置。
【請求項９】
電気機器の使用条件の受信は、前記電気機器が運転を開始した後に行なうことを特徴とする請求項１〜８何れかに記載の情報記憶装置。
【請求項１０】
電気機器の使用条件の受信は、前記電気機器が停止した後に行なうことを特徴とする請求項１〜９何れかに記載の情報記憶装置。
【請求項１１】
複数の電気機器の使用条件の送信要求を行なう複数送信要求手段を備えたことを特徴とする請求項１〜１０何れかに記載の情報記憶装置。
【請求項１２】
複数の電気機器の使用条件は、相異なる時間に受信することを特徴とする請求項１〜１１何れかに記載の情報記憶装置。
【発明の詳細な説明】
【技術分野】
【０００１】
本発明は、電気機器の使用条件を記憶する情報記憶装置に関する。
【背景技術】
【０００２】
従来、この種の情報記憶装置は宅内情報端末システムによるものが知られている（例えば、特許文献１参照）。
【０００３】
以下、宅内情報端末システムについて図５を参照しながら説明する。
【０００４】
図に示すように、宅内情報端末装置１０１と機器１０２と管理センタ１０３からなり、宅内情報端末装置１０１は入力手段１０４を介して各種設定情報を入力され、管理センタ１０３はこの情報を基に設定情報生成手段１０５が設定情報を生成して機器１０２に送信し、機器１０２はこの設定情報を設定情報蓄積手段１０６に蓄積保存するように構成されていた。
【特許文献１】特開平１０−１１７３８８号公報
【発明の開示】
【発明が解決しようとする課題】
【０００５】
このような宅内情報端末システムでは、機器を動作させるための設定情報を宅内情報端末装置を使用しなければならず、また、宅内情報端末装置で設定された設定情報は、無線通信や、有線通信の手段を用いて機器に情報を送信しなければならないため、小型化、設置コストに課題があった。
【０００６】
本発明は、上記課題を解決するもので、複数の電気機器の使用者が最適とする使用条件を一つの情報記憶装置に記憶して、次回の電気機器運転時も同様な運転を行なうことができる携帯可能な小型の情報記憶装置を提供することを目的としている。
【課題を解決するための手段】
【０００７】
本発明の情報記憶装置は、上記目的を達成するために、複数の電気機器の設定変更を行う使用条件設定手段と、前記複数の電気機器の使用条件データを記憶させる情報記憶装置を電気的に接続可能なコネクタを用いた情報記憶装置接続部を備え、前記情報記憶装置には、前記電気機器と電気的に接続可能なコネクタを用いた機器接続部と、前記情報記憶装置に記憶された使用条件データのうち使用者が選択、操作した内容と、前記電気機器との通信中である旨を表示可能な表示手段と、前記電気機器の使用条件を選択する選択手段と、前記複数の電気機器から運転したい電気機器を選択する機器選択手段を設けた複数の電気機器の使用条件を記憶する情報記憶装置。
【０００８】
この手段により、機器毎に機器専用の使用条件設定手段を使用することなく、複数の機器のうち一つを機器選択手段で切替え選択して使用条件の記憶、送信をすることができる情報記憶装置が得られる。
【０００９】
また、他の手段は、電気機器を使用する際に前記電気機器に取り付け、使用条件を電気機器へ送信することを特徴としたものである。
【００１０】
この手段により、機器に取り付けるだけで使用条件を自動で機器へ送信することができる情報記憶装置が得られる。
【００１１】
また、他の手段は、使用条件を電気機器へ送信した後、前記使用条件に基づいて運転を開始する信号を送信することを特徴としたものである。
【００１２】
この手段により、機器に取り付けるだけで使用条件を自動で機器へ送信し、その使用条件で運転を開始することができる情報記憶装置が得られる。
【００１３】
また、他の手段は、使用者が複数の使用条件から選択する選択手段を備えたことを特徴としたものである。
【００１４】
この手段により、状況に合わせて使用条件が選択できる情報記憶装置が得られる。
【００１５】
また、他の手段は、複数の電気機器への使用条件の送信の可否を選択可能とした複数選択手段を備えたことを特徴としたものである。
【００１６】
この手段により、使用したい機器のみに使用条件の情報を送信することができる情報記憶装置が得られる。
【００１７】
また、他の手段は、複数の電気機器の使用条件は、相異なる時間に送信することを特徴としたものである。
【００１８】
この手段により、送信する情報と異なった機器への情報送信を防止できる情報記憶装置が得られる。
【００１９】
また、他の手段は、電気機器の使用条件の受信は、前記電気機器に取り付けた時に行なうことを特徴としたものである。
【００２０】
この手段により、接続されていない機器や、接続不備等で誤った情報の送信を防止できる情報記憶装置が得られる。
【００２１】
また、他の手段は、電気機器の使用条件の受信中、あるいは前記電気機器への使用条件の送信中は、取り外さないように注意する表示手段を備えたことを特徴としたものである。
【００２２】
この手段により、使用条件更新を確実に行える情報記憶装置が得られる。
【００２３】
また、他の手段は、電気機器の使用条件の受信は、前記電気機器が運転を開始した後に行なうことを特徴としたものである。
【００２４】
この手段により、機器運転中に使用条件が変更された場合に、情報の更新が行える情報記憶装置が得られる。
【００２５】
電気機器の使用条件の受信は、前記電気機器が停止した後に行なうことを特徴としたものである。
【００２６】
この手段により、最適と思われる使用条件での情報更新が行える情報記憶装置が得られる。
【００２７】
また、他の手段は、複数の電気機器の使用条件の送信要求を行なう複数送信要求手段を備えたことを特徴としたものである。
【００２８】
この手段により、複数の機器の運転をほぼ同時に行える情報記憶装置が得られる。
【００２９】
また、他の手段は、複数の電気機器の使用条件は、相異なる時間に受信することを特徴としたものである。
【００３０】
この手段により、複数の機器の使用条件の情報が誤認識されず確実に記憶できる情報記憶装置が得られる。
【発明の効果】
【００３１】
本発明によれば、機器毎に機器専用の使用条件設定手段を使用することなく、複数の機器の使用条件を記憶できる情報記憶装置を提供できる。
【００３２】
また、機器に取り付けるだけで使用条件を自動で機器へ送信することができる情報記憶装置を提供できる。
【００３３】
また、機器に取り付けるだけで使用条件を自動で機器へ送信し、その使用条件で運転を開始することができる情報記憶装置を提供できる。
【００３４】
また、状況に合わせて使用条件が選択できる情報記憶装置が提供できる。
【００３５】
また、使用したい機器のみに使用条件の情報を送信することができる情報記憶装置を提供できる。
【００３６】
また、送信する情報と異なった機器への情報送信を防止できる情報記憶装置を提供できる。
【００３７】
また、使用条件更新を確実に行える情報記憶装置を提供できる。
【００３８】
また、接続されていない機器や、接続不備等で誤った情報の送信を防止できる情報記憶装置を提供できる。
【００３９】
また、機器運転中に使用条件が変更された場合に、情報の更新が行える情報記憶装置を提供できる。
【００４０】
また、最適と思われる使用条件での情報更新が行える情報記憶装置を提供できる。
【００４１】
また、複数の機器の運転をほぼ同時に行える情報記憶装置を提供できる。
【００４２】
また、複数の機器の使用条件の情報が誤認識されず確実に記憶できる情報記憶装置を提供できる。
【発明を実施するための最良の形態】
【００４３】
発明の請求項１記載の発明は、複数の電気機器の設定変更を行う使用条件設定手段と、前記複数の電気機器の使用条件データを記憶させる情報記憶装置を電気的に接続可能なコネクタを用いた情報記憶装置接続部を備え、前記情報記憶装置には、前記電気機器と電気的に接続可能なコネクタを用いた機器接続部と、前記情報記憶装置に記憶された使用条件データのうち使用者が選択、操作した内容と、前記電気機器との通信中である旨を表示可能な表示手段と、前記電気機器の使用条件を選択する選択手段と、前記複数の電気機器から運転したい電気機器を選択する機器選択手段を設けた複数の電気機器の使用条件を記憶するものであり、機器毎に機器専用の使用条件設定手段を使用することなく、機器選択手段により切替え選択して複数の機器それぞれの使用条件を記憶できるという作用を有する。
【００４４】
また、請求項２記載の発明は、電気機器を使用する際に前記電気機器に取り付け、使用条件を電気機器へ送信するものであり、機器に取り付けるだけで使用条件を自動で機器へ送信することができるという作用を有する。
【００４５】
また、請求項３記載の発明は、使用条件を電気機器へ送信した後、前記使用条件に基づいて運転を開始する信号を送信するものであり、機器に取り付けるだけで使用条件を自動で機器へ送信し、その使用条件で運転を開始することができるという作用を有する。
【００４６】
また、請求項４記載の発明は、使用者が複数の使用条件から選択する選択手段を備えたものであり、状況に合わせて使用条件が選択できるという作用を有する。
【００４７】
また、請求項５記載の発明は、複数の電気機器への使用条件の送信の可否を選択可能とした複数選択手段を備えたものであり、使用したい機器のみに使用条件の情報を送信することができるという作用を有する。
【００４８】
また、請求項６記載の発明は、複数の電気機器の使用条件は、相異なる時間に送信するものであり、送信する情報と異なった機器への情報送信を防止できるという作用を有する。
【００４９】
また、請求項７記載の発明は、電気機器の使用条件の受信は、前記電気機器に取り付けた時に行なうものであり、接続されていない機器や、接続不備等で誤った情報の送信を防止できるという作用を有する。
【００５０】
また、請求項８記載の発明は、電気機器の使用条件の受信中、あるいは前記電気機器への使用条件の送信中は、取り外さないように注意する表示手段を備えたものであり、使用条件更新を確実に行えるという作用を有する。
【００５１】
また、請求項９記載の発明は、電気機器の使用条件の受信は、前記電気機器が運転を開始した後に行なうものであり、機器運転中に使用条件が変更された場合に、情報の更新が行えるという作用を有する。
【００５２】
また、請求項１０記載の発明は、電気機器の使用条件の受信は、前記電気機器が停止した後に行なうもので、最適と思われる使用条件での情報更新が行えるという作用を有する。
【００５３】
また、請求項１１記載の発明は、複数の電気機器の使用条件の送信要求を行なう複数送信要求手段を備えたものであり、複数の機器の運転をほぼ同時に行えるという作用を有する。
【００５４】
また、請求項１２記載の発明は、複数の電気機器の使用条件は、相異なる時間に受信するものであり、複数の機器の使用条件の情報が誤認識されず確実に記憶できるという作用を有する。
【００５５】
以下、本発明の実施形態について図面を参照しながら説明する。
【００５６】
（実施の形態１）
本発明の実施の形態１は、図１〜図２に示すように、複数の電気機器１Ａ、１Ｂは、各々運転モード、温度、風速等の設定変更を行う使用条件設定手段２と、情報記憶装置３Ａを電気的に接続可能なコネクタを用いた情報記憶装置接続部４を備え、情報記憶装置３Ａには、電気機器１Ａ、１Ｂと電気的に接続可能なコネクタを用いた機器接続部５と、情報記憶装置３Ａに記憶され、使用者が選択、操作した内容と、電気機器１Ａ、１Ｂとの通信中である旨等を表示可能な表示手段６と、電気機器１Ａ、１Ｂの使用条件を選択する選択手段７と、複数の電気機器１Ａ、１Ｂから運転したい電気機器を選択する機器選択手段８を機械的な押しボタンスイッチにて設けている。
【００５７】
電気機器１Ａ、１Ｂの一例として複数の運転モード、温度設定、風速、風向等の設定が可能な空気調和機や、浴室換気乾燥機等がある。
【００５８】
使用条件設定手段２は、電気機器１Ａ、１Ｂ内に設けたが、電気機器１Ａ、１Ｂに付属で使用条件の設定変更できればよく、ワイヤレスリモコン等遠隔操作可能な構成でもよい。
【００５９】
情報記憶装置３Ａは、電気的に使用条件が記憶できればよく、一例として不揮発性メモリがある。
【００６０】
情報記憶装置接続部４と、機器接続部５は電気的に接続可能なコネクタとしたが、赤外線通信や、電波を利用した無線通信方式等で電気的に接続されていなくても複数の電気機器１Ａ、１Ｂと情報記憶装置３Ａが通信可能であれば電気的に接続されていなくてもよい。
【００６１】
表示手段６は、操作、設定内容の表示と、通信中である旨が表示できればよく、一例として液晶を用いたものがある。
【００６２】
選択手段７、機器選択手段８を機械的な押しボタンスイッチとしたが、使用者が選択、送信操作ができれば機械的な押しボタンスイッチでなくてもよく、静電気を使用したタッチパネル式のスイッチやマイクを利用した音声認識手段を用いてもよい。
【００６３】
上記構成により、使用者が情報記憶装置３Ａに記憶された使用条件で電気機器１Ａ、１Ｂを運転する場合、まず機器選択手段８より、使用したい電気機器１Ａを表示手段６に表示される内容を確認しながら選択する。次にその運転したい電気機器１Ａの使用条件、例えば空気調和機であれば、冷房や暖房等の運転状態と、室内温度設定値、風量の調整、風向の設定の情報が設定された複数の条件を、表示手段６にて表示される使用条件より選択する。そして、電気機器１Ａの情報記憶装置接続部４と情報記憶装置３Ａの機器接続部５を接続することにより、情報記憶装置３Ａの表示手段６に、データー送受信が終了するまで電気機器１Ａから情報記憶装置３Ａを取り外さない旨の注意表示を行う。そして電気機器１Ａに記憶されている機器の情報と、前回の使用条件データーを電気機器１Ａより情報記憶装置３Ａへ送信し、その電気機器１Ａに記憶された機器の情報と使用条件データーが、情報記憶装置３Ａにて比較され、電気機器の情報が一致していない場合は、情報記憶装置３Ａの表示手段６に接続する電気機器に誤りがある旨を表示し、一致する場合は、電気機器１Ａへ使用条件データーを送信する。そして情報記憶装置３Ａから電気機器１Ａに使用条件データーの送信が終了すると、電気機器１Ａをの運転の開始要求データーの送信を行い、電気機器１Ａは運転を開始することになる。そして電気機器１Ａは運転開始後に、再度情報記憶装置３Ａに使用条件データーを送信することで、使用環境の変化により電気機器１Ａ側の使用条件設定手段２により変更された使用条件データーを情報記憶装置３Ａに送信し、情報記憶装置３Ａに更新データーとして記憶する。また、電気機器１Ａの停止時に電気機器１Ａから使用条件データーを情報記憶装置３Ａに送信することで、使用者が最適とした使用条件データーを情報記憶装置３Ａに更新データーとして記憶する。さらに、電気機器１Ｂに対しても同様な操作を行うことで電気機器１Ａと同様に情報記憶装置３Ａからの使用条件データーにて運転を行えることになる。こうすることにより、複数の電気機器の使用者が最適とする使用条件を１つの情報記憶装置に記憶し、次回の電気機器運転時も同様な運転を行うことができる。
【００６４】
（実施の形態２）
実施の形態１と同一部分は同一番号を付し、詳細な説明は諸略する。本発明の実施の形態２は、図３〜図４に示すように、情報記憶装置３Ｂを着脱可能なように装着できる電気的に接続可能なコネクタを用いた情報記憶装置装着部９を備え、情報記憶装置３Ｂから複数の電気機器１Ｃ、１Ｄへの使用条件データーの送信と、電気機器１Ｃ、１Ｄからの機器情報と使用条件のデーターを受信し、情報記憶装置３Ｂへ送信可能な情報記憶装置装着手段１０と、この情報装置装着手段１０から送信される情報記憶装置３Ｂに記憶された使用条件データーを受信し、情報記憶装置装着手段１０へ機器情報と使用条件のデーターを送信する情報送受信手段１１を設けた電気機器１Ｃ、１Ｄを設け、情報記憶装置３Ｂには、使用者が選択、操作した機器情報と使用条件と、電気機器１Ｃ、１Ｄとの通信中である旨等を表示可能な表示手段６と、電気機器１Ｃ、１Ｄの使用条件を選択する選択手段７と、複数の電気機器１Ｃ、１Ｄから運転したい電気機器を選択する機器選択手段８と、選択された複数の電気機器へ選択した使用条件を送信する送信要求手段１２を機械的な押しボタンスイッチにて設けている。
【００６５】
電気機器１Ｃ、１Ｄの一例として複数の運転モード、温度設定、風速、風向等の設定が可能な空気調和機や、浴室換気乾燥機等がある。
【００６６】
情報記憶装置３Ｂは、電気的に使用条件が記憶できればよく、一例として不揮発性メモリがある。
【００６７】
選択手段７、機器選択手段８、送信要求手段１２を機械的な押しボタンスイッチとしたが、使用者が選択、送信操作ができれば機械的な押しボタンスイッチでなくてもよく、静電気を使用したタッチパネル式のスイッチやマイクを用いた音声認識手段を用いてもよい。
【００６８】
情報記憶装置装着部９は、電気的に接続可能なコネクタとしたが、赤外線通信や、電波を利用した通信方式等で電気的に接続されていなくても情報記憶装置３Ｂと通信可能であれば電気的に接続されていなくてもよい。
【００６９】
情報記憶装置装着手段１０は、電気機器１Ｃ、１Ｄとのデーターの送受信と、装着する情報記憶装置３Ｂとのデーターの送受信ができる構成であればその構成には制約はなく、一例として、電気機器１Ｃ、１Ｄの情報送信手段１１とのデーター送受信の方式として、赤外線を利用した通信方式や電波を利用した通信方式、通信線や屋内の商用電源線を用いた有線通信方式等があり、情報記憶装置３Ｂとのデーター送受信の方式として、電気的に接続可能なコネクタを用いるものがある。
【００７０】
情報送受信手段１１の一例として、赤外線を利用した通信方式や電波を利用した通信方式、通信線や屋内の商用電源線を用いた有線通信方式等がある。
【００７１】
電気機器１Ｃ、１Ｄと情報記憶装置装着手段１０のデーターの送受信は電気的に接続された有線通信方式を用いても赤外線通信や、電波を利用した無線通信方式等を用いても電気機器１Ｃ、１Ｄと情報記憶装置装着手段１０のデーター送受信の通信が可能であればどうような方式でもよい。
【００７２】
上記構成により、使用者が情報記憶装置３Ｂに記憶された使用条件で複数の電気機器１Ｃ、１Ｄ運転する場合、まず使用したい電気機器１Ｃを表示手段６に表示される内容を確認しながら機器選択手段８にて選択し、その後使用条件を表示手段６に表示される内容を確認しながら選択手段７にて選択する。次に電気機器１Ｄを同様に機器選択手段８と選択手段７にて選択する。そして、情報記憶装置装着手段１０にこの情報記憶装置３Ｂを装着し、送信要求手段１２を操作することで情報記憶装置装着手段１０から電気機器１Ｃ、１Ｄに機器データー、使用条件データーと運転開始要求データーを電気機器１Ｃ、電気機器１Ｄの順に送信する。そして電気機器１Ｃ、１Ｄは一致する機器データーの使用条件を受信すると、その使用条件で運転を開始する。また、電気機器１Ｃ、１Ｄ運転中に情報記憶装置装着手段１０は、データー送信を行った電気機器１Ｃ、１Ｄに対して現在運転している使用条件のデーターの送信要求を、電気機器１Ｃ、電気機器１Ｄの順に行い、電気機器１Ｃ、１Ｄから送信された使用条件が情報記憶装置３Ｂに記憶されている使用条件と異なる場合は、その使用条件データーの更新を行う。また、電気機器１Ｃが停止した場合、電気機器１Ｃより機器データーと使用条件データーを送信し、その使用条件データーを受信した情報記憶装置装着手段１０は情報記憶装置３Ｂの使用条件データーの更新を行う。電気機器１Ｄに関しても停止した場合は同様なデーターの更新を行う。こうすることにより、複数の電気機器をほぼ同時に設定した使用条件で運転することができる。
【産業上の利用可能性】
【００７３】
宿泊施設等において、宿泊予約時に予め、使用可能電気機器の宿泊者の好みを確認し、登録することで、容易に宿泊施設の電気機器の設定を宿泊者の好みの設定にすることが可能なサービスが実現可能である。
【図面の簡単な説明】
【００７４】
【図１】本発明の実施の形態１の情報記憶装置の構成を示す構成図
【図２】同情報記憶装置の構成を示す構成図
【図３】本発明の実施の形態２の情報記憶装置の構成を示す構成図
【図４】同情報記憶装置の構成を示す構成図
【図５】従来の宅内情報端末システムの構成図
【符号の説明】
【００７５】
１Ａ  電気機器
１Ｂ  電気機器
１Ｃ  電気機器
１Ｄ  電気機器
２    使用条件設定手段
３Ａ  情報記憶装置
３Ｂ  情報記憶装置
４    情報記憶装置接続部
５    機器接続部
６    表示手段
７    選択手段
８    機器選択手段
９    情報記憶装置装着部
１０  情報記憶装置装着手段
１１  情報送信手段
１２  送信要求手段
【図１】
0004793003.tif 000002
【図２】
0004793003.tif 000003
【図３】
0004793003.tif 000004
【図４】
0004793003.tif 000005
【図５】
0004793003.tif 000006